(57)【要約】【課題】ケーシングの外側に向けて突出する回転施療体を備えた電気マッサージ器を提供する。【解決手段】回転軸に固着された回転施療体をケーシングの外側に向けて突出するように配置して成る電気マッサージ器において、回転施療体(13)は、前記突出方向とされた基端側から先端側に向けて窄まるテーパ面(15)を外周面に備えた基体(16)と、該基体の先端部の施療子(17)により構成されており、前記基体(16)の外周面に近接して臨む内周縁(20a)を有する挿通孔(20)を備えた保護カバー手段(19)を設け、該保護カバー手段(19)により前記基体(16)の基端側の外周面を周囲から被うように構成しており、万一、ユーザの衣服やアクセサリ等が回転施療体(13)に接触したきでも、巻き付きを防止する。【選択図】図４
2020000277.tif 000002
【特許請求の範囲】
【請求項１】
回転軸に固着された回転施療体をケーシングの外側に向けて突出するように配置して成る電気マッサージ器において、
前記回転施療体(13)は、前記突出方向とされた基端側から先端側に向けて窄まるテーパ面(15)を外周面に備えた基体(16)と、該基体の先端部の施療子(17)により構成されており、
前記基体(16)の外周面に近接して臨む内周縁(20a)を有する挿通孔(20)を備えた保護カバー手段(19)を設け、該保護カバー手段(19)により前記基体(16)の基端側の外周面を周囲から被うように構成して成ることを特徴とする電気マッサージ器。
【請求項２】
前記回転施療体(13)は、基体(16)の基端側にフランジ(18)を設けており、該フランジにより前記基体(16)の外周面と前記挿通孔の内周縁(20a)の間における隙間を保護カバー手段(19)の内側から被うように構成して成ることを特徴とする請求項１に記載の電気マッサージ器。
【請求項３】
前記保護カバー手段(19)は、ケーシングのケース壁により構成されて成ることを特徴とする請求項１又は２に記載の電気マッサージ器。
【請求項４】
前記保護カバー手段(19)は、ケーシングに装着される板部材により構成されて成ることを特徴とする請求項１又は２に記載の電気マッサージ器。
【発明の詳細な説明】
【技術分野】
【０００１】
本発明は、ケーシングの外側に向けて突出する回転施療体を備えた電気マッサージ器に関する。
【背景技術】
【０００２】
従来、回転軸に固着された回転施療体をケーシングの外側に向けて突出するように配置した電気マッサージ器が提供されており、ユーザの患部を回転施療体に押し当て、該回転施療体を回転することにより患部を施療するように構成されている。
【先行技術文献】
【特許文献】
【０００３】
【特許文献１】実用新案登録第３１８４８０８号公報
【特許文献２】実用新案登録第３２０７４７７号公報
【発明の概要】
【発明が解決しようとする課題】
【０００４】
従来の電気マッサージ器を図１及び図２に基づいて説明すると、ケーシング１は、例えば、下部ケーシング１ａと上部ケーシング１ｂにより構成され、ケーシング１の内部に装備された電動モータ等の回転駆動機構（図示省略）により駆動回転される回転軸２を上部ケーシング１ｂに開設された軸孔３を挿通して外部に突出させ、該回転軸２の挿出端部に回転施療体４を固着している。
【０００５】
通常、図１に示すように、ケーシング１には、織物等の柔軟なシートから成るカバーシート５が装着されている。従って、回転施療体４は、カバーシート５により被われており、カバーシートの内側で回転させられる。
【０００６】
ところで、カバーシート５は、洗濯等の目的で着脱自在となるように構成されており、ユーザが簡単に取外すことができる。
【０００７】
この点に関して、カバーシート５を取外した状態の電気マッサージ器は、本来は使用することが予定されているものではないが、そのままでもマッサージ器として使用することが可能なため、実際にユーザにより使用される可能性がある。
【０００８】
しかしながら、図２に示すように、回転施療体４は、その全体が上部ケーシング１ｂの外側に配置され、回転軸２は、回転施療体４を固着した首部２ａが軸孔３から挿出されているので、カバーシート５を取外した状態で電気マッサージ器を使用することは、極めて危険である。
【０００９】
例えば、回転中の回転施療体４や回転軸２の首部２ａにユーザの衣服や、ネックレス等のアクセサリーや、頭髪等が接触すると、巻き付いて強く巻き込むおそれがあり、人身事故を招来する危険がある。
【００１０】
このため、カバーシートを取外した状態で、万一、ユーザが使用する場合でも、上述のような危険を招来しない電気マッサージ器を提供することが望ましく、この点が本発明の課題である。
【課題を解決するための手段】
【００１１】
そこで、本発明が手段として構成したところは、回転軸に固着された回転施療体をケーシングの外側に向けて突出するように配置して成る電気マッサージ器において、前記回転施療体は、前記突出方向とされた基端側から先端側に向けて窄まるテーパ面を外周面に備えた基体と、該基体の先端部の施療子により構成されており、前記基体の外周面に近接して臨む内周縁を有する挿通孔を備えた保護カバー手段を設け、該保護カバー手段により前記基体の基端側の外周面を周囲から被うように構成して成る点にある。
【００１２】
本発明の好ましい実施形態において、前記回転施療体は、基体の基端側にフランジを設けており、該フランジにより前記基体の外周面と前記挿通孔の内周縁の間における隙間を保護カバー手段の内側から被うように構成している。
【００１３】
前記保護カバー手段は、ケーシングのケース壁により構成することができ、或いは、ケーシングに装着される板部材により構成することができる。
【発明の効果】
【００１４】
本発明によれば、万一、カバーシート１４が取外された電気マッサージ器がユーザにより使用された場合でも、衣服やネックレス等の異物が巻き込まれる危険を招来することはない。異物が回転中の回転施療体１３に接触したとき、基体１６のテーパ面１５に沿って先端方向に容易に移動し、上方に放たれるので、回転施療体１３に巻き付くことはない。この際、仮に、細い異物が挿通孔２０に進入しようとしても、内周縁２０ａをテーパ面１５に近接させることにより進入困難としており、進入前にテーパ面１５に沿って移動させられると共に振り払われるので、異物の巻き付きを好適に防止できるという効果がある。
【００１５】
そして、回転施療体１３の基端側にフランジ１８を設けておけば、万一、細い異物が挿通孔２０の内周縁２０ａの内部に進入しかけた場合でも、該内周縁２０ａとテーパ面１５の間の隙間は、フランジ１８により保護カバー手段１９の内側から被われているので、それ以上の進入が阻止され、確実に巻き付きを防止する。
【図面の簡単な説明】
【００１６】
【図１】従来の電気マッサージ器の外観を示す斜視図である。
【図２】従来の電気マッサージ器における回転軸と回転施療体を示す断面図である。
【図３】本発明の第１実施形態に関して、外観を示す斜視図である。
【図４】第１実施形態に関して、回転駆動機構及び回転軸を内装した下部ケーシングと、回転施療体と、上部ケーシングを分解状態で示す斜視図である。
【図５】第１実施形態に関して、回転軸と回転施療体を示す断面図である。
【図６】本発明の第２実施形態に関して、回転駆動機構及び回転軸を内装した下部ケーシングと、上部ケーシングと、回転施療体と、保護カバー手段を分解状態で示す斜視図である。
【図７】第２実施形態に関して、回転軸と回転施療体を示す断面図である。
【発明を実施するための形態】
【００１７】
以下図面に基づいて本発明の好ましい実施形態を詳述する。
【００１８】
（第１実施形態）
図３ないし図５は、本発明の第１実施形態を示しており、電気マッサージ器は、下部ケーシング１０ａと上部ケーシング１０ｂにより構成されたケーシング１０の内部に電動モータ等を含む回転駆動機構１１を内装すると共に、該回転駆動機構により駆動回転される回転軸１２を設け、該回転軸１２に固着された回転施療体１３を回転させるように構成されている。
【００１９】
従って、電気マッサージ器は、回転軸１２に固着された回転施療体１３をケーシング１０の外側に向けて突出するように配置しており、回転する回転施療体１３をユーザの患部に押し当てながら施療するように構成されている。
【００２０】
この際、図３に示すように、ケーシング１０は、織物等の柔軟なシートから成るカバーシート１４を設けることが好ましく、これにより、回転施療体１３をカバーシート１４により被われた状態で回転させることができる。尚、カバーシート１４は、着脱自在に構成することが好ましい。
【００２１】
図示のように、前記回転施療体１３は、突出方向とされた基端側から先端側に向けて窄まるテーパ面１５を外周面に備えた基体１６と、該基体１６の先端部の施療子１７と、該基体１６の基端側に設けられたフランジ１８により構成されており、前記回転軸１２の先端部に着脱自在に固着される。施療子１７の形状等は任意に構成することが可能であり、図示のような大小の揉み玉を形成することができ、或いは、図５に鎖線で示すような山形状ないしフィンガー形状とするように形成しても良い。尚、施療子１７は、基体１６の先端部の周縁から径方向に突起物を形成しないように構成されていることが好ましい。
【００２２】
第１実施形態の場合、上部ケーシング１０ｂのケース壁自体により保護カバー手段１９が構成されている。保護カバー手段１９は、回転施療体１３における基体１６の外周面（テーパ面１５）に近接して臨まされる内周縁２０ａを有する挿通孔２０を開設している。
【００２３】
図４に示すように、電気マッサージ器のアセンブリに際して、下部ケーシング１０ａの内部に配置された回転軸１２の先端部に回転施療体１３を固着した後、上部ケーシング１０ｂが装着される。上部ケーシング１０ｂは、前記挿通孔２０を基体１６の外周面（テーパ面１５）に外挿した状態で下部ケーシング１０ａに搭載され、両ケーシング１０ａ、１０ｂに付設されたボス部を相互にビス止めすることにより固着される。
【００２４】
この状態で、図５に示すように、回転施療体１３は、基体１６の外周面（テーパ面１５）の基端側に保護カバー手段１９が臨まされ、該外周面（テーパ面１５）の基端側の周囲は、挿通孔２０の内周縁２０ａにより近接状態で包囲されている。
【００２５】
この際、基体１６の外周面（テーパ面１５）と前記挿通孔２０の内周縁２０ａの間には、クリアランスに相当する狭小な隙間が存在するが、該隙間は、フランジ１８により保護カバー手段１９の内側から被われている。
【００２６】
このような構成によれば、万一、カバーシート１４が取外された電気マッサージ器がユーザにより使用された場合でも、衣服やネックレス等の異物が巻き込まれる危険を招来することはない。
【００２７】
異物が回転中の回転施療体１３に接触したとき、基体１６のテーパ面１５に沿って先端方向（回転施療体１３の突出方向）に容易に移動し、施療子１７を通過して上方に放たれるので、回転施療体１３の外周面に巻き付くことはない。
【００２８】
この際、仮に、細い異物が挿通孔２０に進入しようとしても、内周縁２０ａをテーパ面１５に近接させることにより進入困難としており、進入前にテーパ面１５に沿って先端方向（進入方向の反対方向）に移動させられて振り払われるので、異物の巻き付きを好適に防止することができる。
【００２９】
更に、万一、細い異物が挿通孔２０の内周縁２０ａの内部に進入した場合でも、該内周縁２０ａとテーパ面１５の間の隙間は、フランジ１８により保護カバー手段１９の内側から被われているので、それ以上の進入が阻止されており、巻き付きを防止する。
【００３０】
（第２実施形態）
図６及び図７は、本発明の第２実施形態を示しており、基本的構成は上記第１実施形態と同様であるから、実質的に同一の構成部分は上記と同一符号で示すと共に上述の説明を援用することにより省略し、以下、第２実施形態に特有の構成部分だけを説明する。
【００３１】
第２実施形態の場合、ケーシング１０の上部ケーシング１０ｂは、回転軸１２を挿通させるための軸孔２１を貫設しており、電気マッサージ器のアセンブリに際して、下部ケーシング１０ａに上部ケーシング１０ｂを搭載して固着し、上部ケーシング１０ｂの軸孔２１から回転軸１２を挿出させた状態で、その後、回転軸１２の挿出端に回転施療体１３が固着され、上部ケーシング１０ｂの外側に板部材により構成された保護カバー手段１９が装着される。従って、図１及び図２に示す従来技術と同様の製造ラインにより、ケーシング１０をアセンブリした後に回転施療体１３を後付けすることができる利点と、上部ケーシング１０ｂに保護カバー手段１９を形成する必要がない、つまり、従来技術と同様の上部ケーシング１０ｂを使用することができる利点がある。
【００３２】
ところで、第２実施形態においては、上部ケーシング１０ｂの軸孔２１から外側に位置して回転軸１２の首部１２ａと回転施療体１３が配置されるが、上部ケーシング１０ｂの更に外側から別体の板部材により構成された保護カバー手段１９が装着される。
【００３３】
回転施療体１３は、第１実施形態の場合と同様に、基端側から先端側に向けて窄まるテーパ面１５を外周面に備えた基体１６と、該基体１６の先端部の施療子１７と、該基体１６の基端側に設けられたフランジ１８により構成されており、軸孔２１から挿出された回転軸１２の先端部に着脱自在に固着される。
【００３４】
保護カバー手段１９は、上部ケーシング１０ｂにビス止め等で固着されるリング状の取付座２２と、該取付座２２の内周縁から起立する環状の立壁２３と、該立壁２３の上端内周縁から内向きに延びる円環部２４を備えており、該円環部２４により挿通孔２０を構成している。
【００３５】
そこで、図７に示すように、保護カバー手段１９は、前記挿通孔２０を回転施療体１３の基体１６に外挿した状態で、取付座２２を上部ケーシング１０ｂに搭載し、ビス止めすることにより固着される。
【００３６】
この状態で、回転施療体１３は、基体１６の外周面（テーパ面１５）の基端側に保護カバー手段１９の円環部２４が臨まされ、該外周面（テーパ面１５）の基端側は、挿通孔２０の内周縁２０ａにより近接状態で包囲されている。そして、基体１６の外周面（テーパ面１５）と前記挿通孔２０の内周縁２０ａの間におけるクリアランスに相当する狭小な隙間は、フランジ１８により円環部２４の内側から被われている。
【００３７】
このような構成によれば、万一、カバーシート１４が取外された電気マッサージ器がユーザにより使用された場合でも、衣服やネックレス等の異物が巻き込まれる危険を招来することはない。この点の作用及び効果は、第１実施形態について上述したところと同様である。
【符号の説明】
【００３８】
１０  ケーシング
１０ａ  下部ケーシング
１０ｂ  上部ケーシング
１１  回転駆動機構
１２  回転軸
１３  回転施療体
１４  カバーシート
１５  テーパ面
１６  基体
１７  施療子
１８  フランジ
１９  保護カバー手段
２０  挿通孔
２０ａ  内周縁
２１  軸孔
２２  取付座
２３  立壁
２４  円環部
【図１】
2020000277.tif 000003
【図２】
2020000277.tif 000004
【図３】
2020000277.tif 000005
【図４】
2020000277.tif 000006
【図５】
2020000277.tif 000007
【図６】
2020000277.tif 000008
【図７】
2020000277.tif 000009